(57)【要約】【課題】  本やノートなどの冊子状の商品に使用する商品管理用タグにおいて、商品に商品管理用タグを簡単に添付することができ、また、商品を販売する際には商品管理用タグを再利用するために商品から簡単に取り外しすることが可能で、更に従来の二つ折りのタグに比べて不用意に落ちにくくした商品管理用タグを提供する。【解決手段】  ＩＣチップ及び前記ＩＣチップに接続された通信用コイルとが基材シートに内蔵された非接触ＩＣタグからなる商品管理用タグであって、前記基材シートに紐又は輪ゴムを引っ掛けて、前記商品管理用タグを商品に添付させるための引っ掛け部が設けられていることを特徴とする。【選択図】        図1
2007099484.tif 000002
【特許請求の範囲】
【請求項１】
ＩＣチップ及び前記ＩＣチップに接続された通信用コイルとが基材シートに内蔵された非接触ＩＣタグからなる商品管理用タグであって、
前記基材シートに紐又は輪ゴムを引っ掛けて、前記商品管理用タグを商品に添付させるための引っ掛け部が設けられていることを特徴とする商品管理用タグ。
【請求項２】
前記引っ掛け部が、紐又は輪ゴムを通すための孔部と、前記孔部と前記基材シートの外周側面とを繋ぐ切り込み部とを有し、前記孔部及び前記切り込み部とが、前記基材シートの両端付近にそれぞれ設けられていることを特徴とする請求項１記載の商品管理用タグ。
【請求項３】
前記引っ掛け部が、紐又は輪ゴムを通すための孔部と、前記孔部と前記基材シートの外周側面とを繋ぐ切り込み部とを有し、前記孔部及び前記切り込み部とが、前記基材シートの一端付近に設けられ、前記基材シートの他端付近には、紐又は輪ゴムを通すための孔部が設けられていることを特徴とする請求項１記載の商品管理用タグ。
【請求項４】
ＩＣチップ及び前記ＩＣチップに接続された通信用コイルとが内蔵された非接触ＩＣタグを備える商品管理用タグであって、
前記非接触ＩＣタグが貼付された基材シートに、紐又は輪ゴムを引っ掛けて、前記商品管理用タグを商品に添付させるための引っ掛け部が設けられていることを特徴とする商品管理用タグ。
【発明の詳細な説明】
【技術分野】
【０００１】
本発明は、商品に添付する商品管理用タグに関する。
【背景技術】
【０００２】
従来、種々の商品管理を行うために商品管理用タグを商品に添付することが行われている。
例えば、書店などにおいて、販売する本の販売情報、在庫情報、発注情報などの情報管理を行うために、二つ折り状態の冊子用のタグを本の頁に挟み込んで設けて、店員が販売時にそのタグを本から取り外し、その後、そのタグに設けられた固有情報を入力することで、本の販売情報、在庫情報、発注情報などをコンピュータにより管理できるようにしてある。
【０００３】
また、近年においては情報記憶媒体として非接触ＩＣタグが開発されたことから、非接触ＩＣタグなどのＲＦＩＤチップを設けた商品管理タグも公知となっており（例えば、特許文献１参照）、非接触リーダライタを用いてその非接触ＩＣタグに記憶された固有情報を短時間で効率的に読み取れるようにした技術も知られている。
非接触ＩＣタグに記憶される情報は、非接触リーダライタにより書き換えが可能であることから再利用も可能であり、これにより非接触ＩＣタグを備えた商品管理タグも一度使用後に回収し、新たな情報が書き込むことで、次の商品に添付して使用することもできる。
【特許文献１】特開２００４−２６４１４２号公報
【０００４】
しかしながら、書店で販売される本は、一般的に顧客が自由に立ち読みできることから、顧客が本を店頭で立ち読みした際に、本の頁に挟まれた状態の冊子用のタグが本の頁の間からうっかり外れて落ちてしまうことも考えられるという問題がある。
特に、本に添付された冊子用のタグは、二つ折り状態となっている場合が多く、本の販売時において店員が簡単に取り外しが可能であるという利点があるが、その反面、顧客の立ち読みの際にうっかり落としてなくしてしまいやすいという欠点もあるという問題がある。
【発明の開示】
【発明が解決しようとする課題】
【０００５】
そこで、本発明は、本やノートなどの冊子状の商品に使用する商品管理用タグにおいて、商品に商品管理用タグを簡単に添付することができ、また、商品を販売する際には商品管理用タグを再利用するために商品から簡単に取り外しすることが可能で、更に従来の二つ折りのタグに比べて不用意に落ちにくくした商品管理用タグを提供する。
【課題を解決するための手段】
【０００６】
本発明の商品管理用タグは、ＩＣチップ及び前記ＩＣチップに接続された通信用コイルとが基材シートに内蔵された非接触ＩＣタグからなる商品管理用タグであって、前記基材シートに紐又は輪ゴムを引っ掛けて、前記商品管理用タグを商品に添付させるための引っ掛け部が設けられていることを特徴とする。
【０００７】
また、本発明の商品管理用タグは、前記引っ掛け部が、紐又は輪ゴムを通すための孔部と、前記孔部と前記基材シートの外周側面とを繋ぐ切り込み部とを有し、前記孔部及び前記切り込み部とが、前記基材シートの両端付近にそれぞれ設けられていることを特徴とする。
【０００８】
更に、本発明の商品管理用タグは、前記引っ掛け部が、紐又は輪ゴムを通すための孔部と、前記孔部と前記基材シートの外周側面とを繋ぐ切り込み部とを有し、前記孔部及び前記切り込み部とが、前記基材シートの一端付近に設けられ、前記基材シートの他端付近には、紐又は輪ゴムを通すための孔部が設けられていることを特徴とする。
【０００９】
また、本発明の商品管理用タグは、ＩＣチップ及び前記ＩＣチップに接続された通信用コイルとが内蔵された非接触ＩＣタグを備える商品管理用タグであって、前記非接触ＩＣタグが貼付された基材シートに、紐又は輪ゴムを引っ掛けて、前記商品管理用タグを商品に添付させるための引っ掛け部が設けられていることを特徴とする。
【発明の効果】
【００１０】
本発明の商品管理用タグは、基材シートに紐又は輪ゴムを引っ掛けて、商品管理用タグを商品に添付させるための引っ掛け部が設けられているので、引っ掛け部に紐又は輪ゴムを引っ掛けることで、商品に商品管理用タグを簡単に添付することができ、また、商品を販売する際には商品管理用タグを再利用するために商品から簡単に取り外しすることが可能で、更に従来の二つ折りのタグに比べて不用意に落ちにくくすることができるという効果がある。
【００１１】
また、本発明の商品管理用タグは、引っ掛け部が、紐又は輪ゴムを通すための孔部と、切り込み部とを有しているので、切り込み部から紐又は輪ゴムを通すことで孔部に入れることができ、引っ掛け部に紐又は輪ゴムを引っ掛けて、商品に商品管理用タグを簡単に添付することができ、また、商品を販売する際には商品管理用タグを再利用するために商品から簡単に取り外しすることが可能で、更に従来の二つ折りのタグに比べて不用意に落ちにくくすることができるという効果がある。
【００１２】
更に、本発明の商品管理用タグは、紐又は輪ゴムを通すための孔部と切り込み部とを有する引っ掛け部と、また基材シートの他端付近に紐又は輪ゴムを通すための孔部が設けられているので、紐又は輪ゴムを引っ掛け部に引っ掛けると共に、他端付近に設けられた孔部に紐又は輪ゴムを通すことで、商品に紐又は輪ゴムをぶら下げるなどして商品管理用タグを添付させることができるので、商品に商品管理用タグを簡単に添付することができ、また、商品を販売する際には商品管理用タグを再利用するために商品から簡単に取り外しすることが可能で、更に従来の二つ折りのタグに比べて不用意に落ちにくくすることができるという効果がある。
【００１３】
また、本発明の商品管理用タグは、非接触ＩＣタグが貼付された基材シートに紐又は輪ゴムを引っ掛けて、商品管理用タグを商品に添付させるための引っ掛け部が設けられているので、引っ掛け部に紐又は輪ゴムを引っ掛けて、商品に商品管理用タグを簡単に添付することができ、また、商品を販売する際には商品管理用タグを再利用するために商品から簡単に取り外しすることが可能で、更に従来の二つ折りのタグに比べて不用意に落ちにくくすることができるという効果がある。
【発明を実施するための最良の形態】
【００１４】
以下、本発明の実施形態に係る商品管理用タグについて、図面に基づいて詳細に説明する。
図１は、本発明の第１実施形態に係る商品管理用タグの平面図、図２は、図１の側面図、図３は、本発明の第１実施形態に係る商品管理用タグを本に添付させた状態を示す斜視図、図４は、本発明の第２実施形態に係る商品管理用タグの平面図、図５は、図４の側面図、図６は、本発明の第３実施形態に係る商品管理用タグの平面図、図７は、本発明の第３実施形態に係る商品管理用タグを商品であるビンに添付させた状態を示す斜視図である。
【００１５】
本発明の第１実施形態に係る商品管理用タグ１は、矩形状を有する合成樹脂製の基材シート２と、この基材シート２に内蔵されてなるＩＣチップ３及び前記ＩＣチップ３に接続された通信用コイル４とを有している。
基材シート２には、紐又は輪ゴムを引っ掛けて、商品管理用タグ１を商品に添付させるための引っ掛け部が設けられている。
この引っ掛け部は、紐又は輪ゴムを通すための孔部５と、この孔部５と基材シート２の外周側面とを繋ぐ切り込み部６とを有し、孔部５及び切り込み部６とが基材シート２の両端付近にそれぞれ設けられている。
基材シート２の両端付近にそれぞれ孔部５及び切り込み部６を設けることで、輪ゴムを孔部５に通す際に、切り込み部６から孔部５に輪ゴムを入れることができるように構成されている。
【００１６】
ＩＣチップ３や通信用コイル４は、基材シート２に孔部５及び切り込み部６が設けられた領域の内側の領域に内蔵されている。
そして、基材シート２に内蔵されているＩＣチップ３及び通信用コイル４により、リーダライタから発信された呼び出し信号を通信用コイル４で受信し、更に通信用コイル４から応答信号を発信することで、ＩＣチップのメモリへの情報の書込みやメモリに記憶された情報の読み取りを行えるように構成されている。
ＩＣチップには、個々の商品管理用タグ１毎に固有情報などが記憶され、商品管理用タグ１が添付された商品の管理をコンピュータにより管理可能になっている。
【００１７】
基材シート２の樹脂基材としては、例えばＰＥＴやポリプロピレン、ポリエチレン、ポリスチレン、ナイロン等の各種材料を使用することができ、紙であってもよい。
基材シート２の寸法は、商品管理用タグ１を添付する商品の大きさに応じて定めればよく、縦方向を長めに形成させたり、横方向を長めに形成させたりするなど様々な形状にすることができる。
【００１８】
図３には、商品管理用タグ１を商品である本７に添付させた状態が示されている。
図３に示す例では、商品管理用タグ１の基材シート２に設けられた２つの切り込み部６から輪ゴム８を孔部５に入れて、商品管理用タグ１に輪ゴム８を付けた後に、商品である本７の表紙に輪ゴム８を留めることで、本７に商品管理用タグ１を添付させている。
輪ゴム８は、リング状であるために２つの切り込み部６が設けられていないと、孔部５に輪ゴム８を嵌めることができないので、切り込み部６が設けることで、リング状の輪ゴム８でも商品管理用タグ１に取り付けることができる構造となっている。
【００１９】
また、商品管理用タグ１に紐を取り付ける場合には、切り込み部６を介して孔部５に紐を通してもよいし、孔部５に直接に紐を通すことで、商品管理用タグ１に紐を取り付けるようにしてもよい。
図３に示すように、輪ゴム８を本の表紙にはめ込んで、本の外側に商品管理用タグ１を添付させることで、リーダライタから発信された呼び出し信号を確実に受信することができる。
【００２０】
次に、本発明の第２実施形態に係る商品管理用タグ１０について、図４及び図５に基づいて説明する。
本発明の第２実施形態に係る商品管理用タグ１０は、矩形状を有する合成樹脂製の基材シート１１と、ＩＣチップ１２及び前記ＩＣチップ１２に接続された通信用コイル１３とが内蔵された非接触ＩＣタグ１４とからなり、基材シート１１上に非接触ＩＣタグ１４が接着剤層１７により貼付された構造を有している。
そして、基材シート１１には、紐又は輪ゴムを引っ掛けて、商品管理用タグ１０を商品に添付させるための引っ掛け部が設けられている。
この引っ掛け部は、紐又は輪ゴムを通すための孔部１５と、この孔部１５と基材シート１１の外周側面とを繋ぐ切り込み部１６とを有し、孔部１５及び切り込み部１６とが基材シート１１の両端付近にそれぞれ設けられている。
基材シート１１の両端付近にそれぞれ孔部１５及び切り込み部１６を設けることで、輪ゴムを孔部１５に通す際に、切り込み部１６から孔部１５に輪ゴムを入れることができるように構成されている。
【００２１】
次に、本発明の第３実施形態に係る商品管理用タグ２０について、図６に基づいて説明する。
本発明の第３実施形態に係る商品管理用タグ２０は、矩形状を有する合成樹脂製の基材シート２１と、この基材シート２１に内蔵されてなるＩＣチップ２２及び前記ＩＣチップ２３に接続された通信用コイル２４とを有している。
基材シート２１には、引っ掛け部として、紐又は輪ゴムを通すための孔部２５と、その孔部２５と基材シート２１の外周側面とを繋ぐ切り込み部２６とを有し、更に、引っ掛け部が設けられている一端と反対側の端付近に、紐又は輪ゴムを通すための孔部２７が設けられている。
【００２２】
この商品管理用タグ２０を商品に添付する場合には、図７に示すように、紐又は輪ゴム２８の一本を切り込み部２６を介して孔部２５を通し、更に紐又は輪ゴムの２本を孔部２７に通すことで商品管理用タグ２０に紐又は輪ゴム２８を備え、商品２９に対して紐又は輪ゴム２８を付けることで商品管理用タグ２０を商品２９に添付させる。
第３実施形態に係る商品管理用タグ２０では、商品管理用タグ２０を商品２９にぶら下げる状態で添付させることができ、ビンなどの形体を有する商品に適している。
【図面の簡単な説明】
【００２３】
【図１】本発明の第１実施形態に係る商品管理用タグの平面図である。
【図２】図１の側面図である。
【図３】本発明の第１実施形態に係る商品管理用タグを本に添付させた状態を示す斜視図である。
【図４】本発明の第２実施形態に係る商品管理用タグの平面図である。
【図５】図４の側面図である。
【図６】本発明の第３実施形態に係る商品管理用タグの平面図である。
【図７】本発明の第３実施形態に係る商品管理用タグを商品であるビンに添付させた状態を示す斜視図である。
【符号の説明】
【００２４】
１，１０，２０  商品管理用タグ
２，１１，２１  基材シート
３，１２，２２  ＩＣチップ
４，１３，２４  通信用コイル
５，１５，２５，２７  孔部
６，１６，２６  切り込み部
７  本
８  輪ゴム
１４  非接触ＩＣタグ
１７  接着剤層
２８  紐又は輪ゴム
２９  商品
【図１】
2007099484.tif 000003
【図２】
2007099484.tif 000004
【図３】
2007099484.tif 000005
【図４】
2007099484.tif 000006
【図５】
2007099484.tif 000007
【図６】
2007099484.tif 000008
【図７】
2007099484.tif 000009